【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
外周部鉄心（２０）と、
前記外周部鉄心の内面に接するか、または、該内面に結合された少なくとも三つの鉄心コイル（３１〜３３）と、を具備し、
前記少なくとも三つの鉄心コイルのそれぞれは、鉄心（４１〜４３）と該鉄心に巻回されたコイル（５１〜５３）とから構成されており、
前記少なくとも三つの鉄心コイルのうちの一つの鉄心コイルと該一つの鉄心コイルに隣接する鉄心コイルとの間には磁気的に連結可能なギャップ（１０１〜１０３）が形成されている、三相リアクトル。
【請求項２】
前記少なくとも三つの鉄心コイルの数は３の倍数である請求項１に記載の三相リアクトル。
【請求項３】
前記少なくとも三つの鉄心コイルの前記鉄心は複数の鉄心部分（４１ａ〜４３ａ、４１ｂ〜４３ｂ）から構成されており、
該複数の鉄心部分の間には磁気的に連結可能な鉄心部分ギャップ（１１１〜１１３）が形成されている、請求項１または２に記載の三相リアクトル。
【請求項４】
前記少なくとも三つの鉄心コイルの前記鉄心と前記外周部鉄心との間には磁気的に連結可能な外周部鉄心ギャップ（１２１〜１２３）が形成されている請求項１から３のうちのいずれか一項に記載の三相リアクトル。
【請求項５】
前記外周部鉄心は複数の外周部鉄心部分（２１〜２３）から構成されている、請求項１から４のうちのいずれか一項に記載の三相リアクトル。
【請求項６】
前記複数の外周部鉄心部分のうちの互いに隣接する外周部鉄心部分の間には外周部鉄心部分ギャップ（６１〜６３）が形成されている請求項５に記載の三相リアクトル。
【請求項７】
前記少なくとも三つの鉄心コイルは、回転対称に配置されている請求項１から６のうちのいずれか一項に記載の三相リアクトル。
【請求項８】
前記三相リアクトルが、少なくとも三つの鉄心コイルからなる第一組（３１、３３、３５）と他の少なくとも三つの鉄心コイルからなる第二組（３２、３４、３６）とを含んでいる請求項１から７のうちのいずれか一項に記載の三相リアクトル。
【請求項９】
前記三相リアクトルは、三つの鉄心コイルからなる組を三組以上有する、請求項８に記載の三相リアクトル。
【請求項１０】
前記三相リアクトルの前記ギャップには、非磁性材料であるギャップ材または絶縁紙または樹脂（７１）が挿入されているか、または充填されている請求項１から９のうちのいずれか一項に記載の三相リアクトル。
【請求項１１】
前記三相リアクトルの前記外周部鉄心の内側には、非磁性材料であるギャップ材または絶縁材または樹脂（７２）が充填されている請求項１から９のうちのいずれか一項に記載の三相リアクトル。
【請求項１２】
前記コイルは前記鉄心と前記外周部鉄心部分との間に形成された空間に配置されており、
前記一つの鉄心と前記他の鉄心との間の前記ギャップのギャップ長は前記空間の幅よりも短いようにした、請求項１から１１のうちいずれか一項に記載のリアクトル。
【請求項１３】
外周部鉄心（２０）と、
前記外周部鉄心の内面に接するかまたは該内面に結合された少なくとも三つの鉄心コイル（３１〜３３）とを具備し、
前記少なくとも三つの鉄心コイルのそれぞれは、鉄心（４１〜４３）と該鉄心に巻回されたコイル（５１〜５３）とから構成されており、
さらに、前記少なくとも三つの鉄心コイルの間に配置されたコイル間鉄心（８１〜８３）を具備し、
前記少なくとも三つの鉄心コイルと前記コイル間鉄心との間には磁気的に連結可能なギャップ（１０１〜１０３）が形成されている、三相リアクトル。
【請求項１４】
前記コイル間鉄心は鋭角をなす二つの面を有しており、該二つの面のそれぞれが前記ギャップを挟んで前記鉄心コイルに対向している、請求項１３に記載の三相リアクトル。
【請求項１５】
前記少なくとも三つの鉄心コイルの数は三の倍数である請求項１３または１４に記載の三相リアクトル。
【請求項１６】
前記少なくとも三つの鉄心コイルの前記鉄心は複数の鉄心部分から構成されており、
該複数の鉄心部分の間には磁気的に連結可能な鉄心部分ギャップが形成されている、請求項１３から１５のいずれか一項に記載の三相リアクトル。
【請求項１７】
前記少なくとも三つの鉄心コイルの前記鉄心と前記外周部鉄心との間には磁気的に連結可能な外周部鉄心ギャップが形成されている請求項１３から１６のうちのいずれか一項に記載の三相リアクトル。
【請求項１８】
前記コイル間鉄心は複数のコイル間鉄心部分（８１ａ〜８１ｂ、８２ａ〜８２ｂ、８３ａ〜８３ｂ）から構成されており、
該複数のコイル間鉄心部分の間には磁気的に連結可能なコイル間鉄心部分ギャップ（１３１〜１３３）が形成されている、請求項１３から１７のいずれか一項に記載の三相リアクトル。
【請求項１９】
前記外周部鉄心は複数の外周部鉄心部分（２１〜２３）から構成されている、請求項１３から１８のいずれか一項に記載の三相リアクトル。
【請求項２０】
前記複数の外周部鉄心部分のうちの互いに隣接する外周部鉄心部分の間には外周部鉄心部分ギャップ（２１ａ〜２１ｃ）が形成されている請求項１９に記載の三相リアクトル。
【請求項２１】
前記三つの鉄心コイルは回転対称に配置されている請求項１３から２０のいずれか一項に記載の三相リアクトル。
【請求項２２】
前記三相リアクトルが、三つの鉄心コイルからなる第一組と他の三つの鉄心コイルからなる第二組とを含んでいる請求項１３から２１のいずれか一項に記載の三相リアクトル。
【請求項２３】
前記三相リアクトルは、三つの鉄心コイルからなる組を三組以上有する、請求項２２に記載の三相リアクトル。
【請求項２４】
前記三相リアクトルの前記ギャップには、非磁性材料であるギャップ材（７１）または絶縁紙または樹脂が挿入されているか、または充填されている請求項１３から２３のいずれか一項に記載の三相リアクトル。
【請求項２５】
前記三相リアクトルの前記外周部鉄心の内側には、非磁性材料であるギャップ材（７２）または絶縁材または樹脂が充填されている請求項１３から２３のいずれか一項に記載の三相リアクトル。
【請求項２６】
前記コイルは前記鉄心と前記外周部鉄心部分との間に形成された空間に配置されており、
前記一つの鉄心と前記他の鉄心との間の前記ギャップのギャップ長は前記空間の幅よりも短いようにした、請求項１３から２５のうちいずれか一項に記載のリアクトル。
【請求項２７】
少なくとも三つの外周部鉄心部分より構成される外周部鉄心と、
前記外周部鉄心の内側に配置された少なくとも三つの鉄心コイルと、を具備し、
前記少なくとも三つの鉄心コイルのそれぞれは、前記外周部鉄心部分のそれぞれに接するかまたは一体的に形成された鉄心と該鉄心に巻回されたコイルとから構成されており、
前記少なくとも三つの鉄心のうちの一つの鉄心と該一つの鉄心に隣接する他の鉄心との間には磁気的に連結可能なギャップが形成されており、
前記コイルは前記鉄心と前記外周部鉄心部分との間に形成された空間に配置されており、
前記一つの鉄心と前記他の鉄心との間の前記ギャップのギャップ長は前記空間の幅よりも短いようにした、リアクトル。
【請求項２８】
請求項１から２７のうちのいずれか一項に記載のリアクトルを具備したモータ駆動装置。
【請求項２９】
請求項２８に記載のモータ駆動装置を具備した機械。
【請求項３０】
請求項１から２７のうちのいずれか一項に記載のリアクトルを具備したパワーコンディショナ。
【請求項３１】
請求項３０に記載のパワーコンディショナを具備した機械または装置。